(57)【要約】【課題】  左右方向に移動可能な障子が枠体内に収納された開口部装置において、障子の戸先側縦框と枠体の縦枠との間の気密性を確保することができるとともに、施錠操作を軽い力で行うことができる開口部装置を提供する。【解決手段】  枠体Ａと、この枠体Ａ内に左右方向に移動可能に収納された障子Ｂ、Ｃとを備え、障子Ｂ、Ｃの閉時に、障子Ｂ、Ｃの戸先側縦框４３、５３に設けられた緩衝部材６１、６１と枠体Ａの縦枠２３、２４に設けられた緩衝部材３１、３１とが当接するとともに、障子Ｂ、Ｃの戸先側縦框４３、５３の見付け面に枠体Ａの縦枠２３、２４の緩衝部材３１に設けられた気密部３５が接触する。【選択図】      図１
2005264559.tif 000002
【特許請求の範囲】
【請求項１】
枠体と、この枠体内に左右方向に移動可能に収納された障子とを備え、前記障子の閉時に、前記障子の戸先側縦框に設けられた緩衝部材と前記枠体の縦枠に設けられた緩衝部材とが当接するとともに、前記障子の前記戸先側縦框の見付け面に前記枠体の前記縦枠の前記緩衝部材に設けられた気密部が接触することを特徴とする開口部装置。
【発明の詳細な説明】
【技術分野】
【０００１】
本発明は、引き違い障子または片引き障子等のように左右方向に移動可能な障子が枠体内に収納された開口部装置に関する。
【背景技術】
【０００２】
この種の開口部装置の一つとして、従来から、例えば、図６および図７に示す引違いサッシが知られている。
この引違いサッシは、方形状の枠体１と、この枠体１内に左右方向に移動可能に収納された外障子２および内障子３とを備えている。外障子２および内障子３の各戸先側縦框４、５の戸先側端部にはそれぞれ、枠体１の縦枠６、７側に突出する緩衝部材８、８が上下方向に連続して取り付けられている。また、各緩衝部材８、８が当接する縦枠６、７の部分にはそれぞれ、緩衝部材９、９が上下方向に連続して取り付けられており、外障子２または内障子３を閉めた時に、これらの緩衝部材８と緩衝部材９とが当接するようになっている。これらの緩衝部材８および緩衝部材９はともに軟質ゴム等からなり、緩衝部材８はクッション性を高めるために中空に形成されている。これらの緩衝部材８、９が設けられていることにより、障子（外障子２、内障子３）を閉めた時に、縦枠６、７と戸先側縦框４、５との間に万一指などが挟まれても、緩衝部材８、９の弾性により怪我し難くなっている。
【０００３】
また、これらの緩衝部材８および緩衝部材９はそれぞれ、当接する面が横断面形状において円弧状の凸面および円弧状の凹面に形成されており、これにより緩衝部材と緩衝部材９とが弾性的に当接し、これらの間の気密性が確保されようになっている。
なお、このような引違いサッシは従来から慣用されているものであるため、先行技術文献は特に記載しない。
【発明の開示】
【発明が解決しようとする課題】
【０００４】
しかしながら、従来のこのような引違いサッシにあっては、緩衝部材８と緩衝部材９とが当接して気密を確保するようになっているので、緩衝部材８、９をある程度弾性変形させないと気密が確保されないために、障子（外障子２、内障子３）を確実に引き分ける必要があり、このため障子を閉めてクレセント錠をかける時に、緩衝部材８、９の反発力により施錠操作が硬いという問題がある。
【０００５】
また、万一、各縦枠６、７がその上下方向中央部を障子側に突出させるように円弧状に撓んだ状態に施工された場合に、緩衝部材８と緩衝部材９とはその上下方向中央部だけが強く当り、上下の部分に隙間を生じたり、あるいは各縦枠２３、２４がその上下方向中央部を障子と反対側に突出させるように円弧状に撓んだ状態に施工された場合に、緩衝部材８と緩衝部材９とはその上下方向中央部で当たりが弱く、上下方向中央部に隙間を生じて、気密が確保されないという問題がある。
【０００６】
本発明は、このような事情に鑑みて為されたもので、左右方向に移動可能な障子が枠体内に収納された開口部装置において、障子の戸先側縦框と枠体の縦枠との間の気密性を確保することができるとともに、施錠操作を軽い力で行うことができる開口部装置を提供することを目的とする。
【課題を解決するための手段】
【０００７】
前記目的を達成するために、請求項１に記載の開口部装置は、枠体と、この枠体内に左右方向に移動可能に収納された障子とを備え、前記障子の閉時に、前記障子の戸先側縦框に設けられた緩衝部材と前記枠体の縦枠に設けられた緩衝部材とが当接するとともに、前記障子の前記戸先側縦框の見付け面に前記枠体の前記縦枠の前記緩衝部材に設けられた気密部が接触することを特徴とする。
【０００８】
枠体の縦枠の緩衝部材の気密部が、障子の戸先側縦框の見付け面に接触する位置は、予想される障子の開閉方向の縦枠の施工誤差（ずれ）の大きさに合わせて設定すればよい。たとえば、大きな施工誤差が予想される場合には、障子の戸先側縦框の先端から面内側に充分離れた位置に気密部を接触させるように設定すればよい。この気密部は、通常、障子の戸先側縦框の室内側の見付け面に接触するように設けられる。
【発明の効果】
【０００９】
請求項１に記載の発明によれば、障子の戸先側縦框の見付け面に枠体の縦枠の緩衝部材の気密部が接触して、障子の戸先側縦框と枠体の縦枠との間の気密が確保されるので、戸先側縦框の緩衝部材と縦枠の緩衝部材とを強く当接させる必要がないため、クレセント錠等の錠の施錠操作を軽い力で行うことができる。
【００１０】
また、障子の戸先側縦框の見付け面に縦枠の緩衝部材の気密部が接触して、戸先側縦框と緩衝部材との間の気密が確保されるので、万一、縦枠がその上下方向中央部を障子側あるいは障子と反対側に突出させるように円弧状に撓んだ状態に施工された場合でも、障子の開閉方向の縦枠のこのような施工誤差を吸収して、戸先側縦框の見付け面に緩衝部材の気密部を接触させることができ、戸先側縦框と緩衝部材との間の気密を確保することができる。
【発明を実施するための最良の形態】
【００１１】
以下、添付した図面を参照しながら、本発明の実施の形態を説明する。
図１は、本発明の実施の形態に係る引違いサッシを示す横断面図であり、図２は縦断面図である。
この引違いサッシ（開口部装置）は、枠体Ａと、この枠体Ａ内に左右方向に移動可能に収納された外障子（障子）Ｂおよび内障子（障子）Ｃとを備えている。
【００１２】
枠体Ａは、上枠２１、下枠２２および左右の縦枠２３、２４により方形に組み立てられて構成されている。上枠２１、下枠２２および縦枠２３、２４はそれぞれ、アルミニウム合金製押出形材からなる。
枠体Ａの左側の縦枠２３には、室外側寄りに、面内側に突出しかつ上下方向に連続的に延びる戸当り部２５が設けられ、一方右側の縦枠２４には、室内側寄りに、面内側に突出しかつ上下方向に連続的に延びる戸当り部２６が設けられている。
【００１３】
各戸当り部２５、２６の面内側にはそれぞれ、緩衝部材３１、３１が嵌め込まれて取り付けられている。この緩衝部材３１は、クロロプレンゴム等の軟質ゴムあるいは軟質樹脂などからなるもので、上下方向に連続的に延びている。緩衝部材３１の面内側（障子側）には、横断面形状が面内側に向かって拡大する台形状の凹部３２が形成されている。また、緩衝部材３１の室内側には、面内側に向かって延びる延長部３３が形成されており、この延長部３３の先端部には、室外側に折曲する薄板状の気密部３５が形成されている。延長部３３および気密部３５はともに、上下方向に連続的に延びている。
【００１４】
外障子Ｂは、上框４１、下框４２、戸先側縦框４３および召し合わせ縦框４４とにより方形の框組体４５が組み立てられ、この框組体４５にガラス４６が組み込まれて構成されている。また、内障子Ｃは、上框５１、下框５２、戸先側縦框５３および召し合わせ縦框５４とにより方形の框組体５５が組み立てられ、この框組体５５にガラス３６が組み込まれて構成されている。上框４１、下框４２、戸先側縦框４３および召し合わせ縦框４４、ならびに上框５１、下框５２、戸先側縦框５３および召し合わせ縦框５４はそれぞれ、アルミニウム合金製の押出形材からなる。
【００１５】
外障子Ｂの戸先側縦框４３の戸先側の端部には、一対の鉤状の係止部４７、４７が形成されており、これらの係止部４７、４７に緩衝部材６１が取り付けられている。この緩衝部材６１は、クロロプレンゴム等の軟質ゴムあるいは軟質樹脂などからなるもので、上下方向に連続的に延びている。緩衝部材６１はクッション性を高めるために中空に形成されている。緩衝部材６１の戸先側（縦枠２３側）には、横断面形状が戸先側に向かって縮小する台形状の凸部６２が形成されている。また、内障子Ｃの戸先側縦框５３の戸先側の端部にも、一対の鉤状の係止部５７、５７が形成されており、これらの係止部５７、５７に緩衝部材６１が外障子Ｂと同じように取り付けられている。
【００１６】
そして、外障子Ｂを閉める際に、外障子Bが室内外方向に多少ずれても、緩衝部材６１の凸部の一方のテーパ面（図１では室外側のテーパ面）が緩衝部材３１の凹部３２の同じ側のテーパ面に当って、室内外方向の所定位置に引き寄せられる。外障子Ｂを閉めた時には、戸先側縦框４３の緩衝部材６１の凸部６２が縦枠２３の戸当り部２５の緩衝部材３１の凹部３２に挿入され、凸部６２のテーパ面と凹部３２のテーパ面とが当接するとともに、凸部６２の先端面と凹部３２の底面との間に隙間が形成される。また、戸先側縦框４３の室内側の係止部４７の室内側の見付け面（側面）に、緩衝部材３１の気密部３５の先端部が接触して、戸先側縦框４３と緩衝部材３１との間の気密が確保される。
内障子Cについても、外障子Ｂの場合と同様である。
【００１７】
図３は、枠体Ａの縦枠２４と下枠２２との接合部分を示す図であって、室外側から見た斜視図である。同図に示すように、枠体Ａの縦枠２４の戸当り部２６の緩衝部材３１の下端部には、スポンジ等からなる気密ピース７１が取り付けられ、この気密ピース７１が緩衝部材３１の気密部３５と下枠２２の気密材７２との間を充填することにより、これらの間の気密性を確保するようにしている。
【００１８】
また、戸当り部２６および緩衝部材３１の下端には、ナイロン等の硬質樹脂などの硬質な材料からなるガイドピース７５が取り付けられている。このガイドピース７５には、緩衝部材３１の凹部３２と同じ形状の凹部が形成されている。一方、図４に示すように、内障子Ｃの戸先側縦框５３の緩衝部材６１の下端には、ナイロン等の硬質樹脂などの硬質な材料からなる障子振れ止め７７が取り付けられている。この障子振れ止め７７の横断面の外形形状は、緩衝部材６１のそれと同じに形成されている。戸当り部２６および緩衝部材３１の上端、ならびに緩衝部材６１の上端にもそれぞれ、ガイドピース７５および障子振れ止め７７が取り付けられている。
【００１９】
そして、内障子Ｃを閉める際に、内障子Ｃが室内外方向に多少ずれても、上下の障子振れ止め７７の凸部の一方のテーパ面が上下のガイドピース７５の凹部の同じ側のテーパ面に当って、室内外方向中央部に引き寄せられる。このように、硬質の材料からなる障子振れ止め７７およびガイドピース７５を設けることにより、内障子Ｃの室内外方向の引き寄せが確実に行われる。
縦枠２３および外障子Ｂについても、縦枠２４および内障子Ｃの場合と同様に、気密ピース７１、ガイドピース７５および障子振れ止め７７が設けられている。
【００２０】
内障子Ｃの召し合わせ縦框５４には、クレセント本体８１が取り付けられる一方、外障子Ｂの召し合わせ縦框４４には、クレセント受け８２が取り付けられ、これらのクレセント本体８１およびクレセント受けによりクレセント錠８３が構成されている。
【００２１】
このように構成された引違いサッシにあっては、外障子Ｂの戸先側縦框４３の室内側の見付け面（室内側面）に、縦枠２３の緩衝部材３１の気密部３５を接触させて、戸先側縦框４３と緩衝部材３１との間の気密を確保しているので、戸先側縦框４３の緩衝部材６１と縦枠２３の緩衝部材３１とを強く当接させる必要がない。内障子Ｃについても同様である。したがって、クレセント錠８３の施錠操作を軽い力で行うことができる。
【００２２】
また、外障子Ｂの戸先側縦框４３の室内側の見付け面に、縦枠２３の緩衝部材３１の気密部３５を接触させて、戸先側縦框４３と緩衝部材３１との間の気密を確保しているので、万一、縦枠２３がその上下方向中央部を障子側あるいは障子と反対側に突出させるように円弧状に撓んだ状態に施工された場合でも、障子の開閉方向の縦枠２３のこの施工誤差を吸収して、戸先側縦框４３の室内側の見付け面に緩衝部材３１の気密部３５を接触させることができるため、戸先側縦框４３と緩衝部材３１との間の気密を確保することができる。内障子Ｃについても同様である。
【００２３】
さらに、外障子Ｂの閉時に、戸先側縦框４３の緩衝部材６１の凸部６２が縦枠２３の戸当り部２５の緩衝部材３１の凹部３２に挿入された際に、凸部６２の先端面と凹部３２の底面との間に隙間が形成されるので、前述の縦枠２３の障子の開閉方向の施工誤差が生じても、その誤差を前記隙間が吸収して、緩衝部材６１と緩衝部材３１とが強く当接するのを確実に回避させるとができる。内障子Ｃについても同様である。したがって、クレセント錠８３の軽い施錠操作を確実に確保することができる。
【００２４】
図５は、本発明の他の実施の形態を示す横断面図である。
なお、本実施の形態は、緩衝部材の部分の構成に特徴があり、その他の構成は前述した図６および図７の従来の構成と同様であるため、図５において図６および図７と同一構成要素には同一符号を付してその説明を省略または簡略化する。
【００２５】
外障子２および内障子３の各戸先側縦框４、５の戸先側の端部にはそれぞれ、枠体１の縦枠６、７側に突出する緩衝部材９１、９１が嵌め込まれて取り付けられている。この緩衝部材９１は、クロロプレンゴム等の軟質ゴムあるいは軟質樹脂などからなるもので、上下方向に連続的に延びている。緩衝部材９１はクッション性を高めるために中空に形成されている。緩衝部材９１の戸先側（縦枠６側）には、横断面形状において円弧状の凸面を有する凸部９２が形成されている。
【００２６】
一方、各緩衝部材９１、９１が当接する縦枠６、７の部分にはそれぞれ、緩衝部材９６、９６が嵌め込まれて取り付けられている。この緩衝部材９６は、クロロプレンゴム等の軟質ゴムあるいは軟質樹脂などからなるもので、上下方向に連続的に延びている。緩衝部材９６の面内側には、横断面形状において円弧状の凹面を有する凹部９７が形成されている。また、緩衝部材９６の室内側には、面内側に向かって延びる延長部９８が形成されており、この延長部９８の先端部には、室外側に折曲する薄板状の気密部９９が形成されている。延長部９８および気密部９９はともに、上下方向に連続的に延びている。
【００２７】
そして、外障子２を閉めた時には、戸先側縦框４の緩衝部材９１の凸部９２が縦枠６の緩衝部材９６の凹部９７に挿入され、円弧状の凸面と円弧状の凹面とが当接するとともに、戸先側縦框４の室内側の見付け面（側面）に、緩衝部材９６の気密部９９の先端部が接触して、戸先側縦框４と緩衝部材９６との間の気密が確保される。
内障子３についても、外障子２の場合と同様である。
【００２８】
このように構成された引違いサッシにあっては、外障子２の戸先側縦框４の室内側の見付け面（室内側面）に、縦枠６の緩衝部材９６の気密部９９を接触させて、戸先側縦框４と緩衝部材９６との間の気密を確保しているので、戸先側縦框４の緩衝部材９１と縦枠６の緩衝部材９６とを強く当接させる必要がない。内障子３についても同様である。したがって、クレセント錠（図示せず）の施錠操作を軽い力で行うことができる。
【００２９】
また、外障子２の戸先側縦框４の室内側の見付け面に、縦枠６の緩衝部材９６の気密部９９を接触させて、戸先側縦框４と緩衝部材９６との間の気密を確保しているので、万一、縦枠６がその上下方向中央部を障子側あるいは障子と反対側に突出させるように円弧状に撓んだ状態に施工された場合でも、障子の開閉方向の縦枠６のこの施工誤差を吸収して、戸先側縦框４の室内側の見付け面に緩衝部材９６の気密部９９を接触させることができるため、戸先側縦框４と緩衝部材９６との間の気密を確保することができる。内障子３についても同様である。
【００３０】
なお、上述の各実施の形態では、本発明を２枚建ての引違いサッシに適用した場合について説明したが、３枚建て、４枚建ての引違いサッシ等に本発明を適用することができ、さらに片引きサッシ等にも適用することができる。
【図面の簡単な説明】
【００３１】
【図１】本発明の実施の形態に係る引違いサッシを示す図であって、横断面図である。
【図２】同、縦断面図である。
【図３】枠体の縦枠と下枠との接合部分を示す図であって、室外側から見た斜視図である。
【図４】内障子の戸先側縦框の下端部分を室外側から見た斜視図である。
【図５】本発明の他の実施の形態に係る引違いサッシを示す横断面図である。
【図６】従来の引違いサッシの横断面図である。
【図７】同、縦断面図である。
【符号の説明】
【００３２】
１、Ａ    枠体
２、Ｂ    外障子（障子）
３、Ｃ    内障子（障子）
４、５、４３、５３    戸先側縦框
６、７、２３、２４    縦枠
３１、９６    緩衝部材
３５、９９    気密部
６１、９１    緩衝部材
【図１】
2005264559.tif 000003
【図２】
2005264559.tif 000004
【図３】
2005264559.tif 000005
【図４】
2005264559.tif 000006
【図５】
2005264559.tif 000007
【図６】
2005264559.tif 000008
【図７】
2005264559.tif 000009